(57)【要約】      （修正有）【課題】排水管に設けた通気弁に排水の跳ね水が付着するのを阻止し、通気弁が汚れることで気密性能を損ない臭気漏れや水漏れを起こすことを防ぎ、寿命を延ばすことができる通気弁の汚れ防止具を提供する。【解決手段】排水管に設けられる通気弁の汚れ防止具７は、排水管の管路中に設けられるＴ字状に形成された配管６の分岐管６ｂ内に固定される汚れ防止具７よりなり、汚れ防止具７は、分岐管６ｂ内に装着される、開口部を有する円環体と、円環体に固定した、開口部を覆うように設けた、円環体に対して所望量傾斜した複数の傾斜板とよりなり、各傾斜板は、円環体の一端から他端に向かって、それぞれ所望の間隔を開けて設けられ、汚れ防止具７は、傾斜板の下面が、配管６の内壁背面部分６ｄを向くように、分岐管６ｂに装着される。【選択図】図１
0003228997.tif 000002
【実用新案登録請求の範囲】
【請求項１】
排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管の該分岐管内に固定される汚れ防止具よりなり、
該汚れ防止部は、前記分岐管内に装着される、開口部を有する円環体と、
該円環体に固定した、前記開口部を覆うように設けた、前記円環体に対して所望量傾斜した複数の傾斜板とよりなり、
前記各傾斜板は、前記円環体の一端から他端に向かって、それぞれ所望の間隔を開けて設けられ、
前記汚れ防止具は、前記傾斜板の下面が、前記配管の内壁背面部分を向くように、前記分岐管に装着されることを特徴とする排水管に設けられる通気弁の汚れ防止具。
【請求項２】
前記傾斜板の傾斜は、４０度〜５０度であることを特徴とする請求項１に記載の排水管に設けられる通気弁の汚れ防止具。
【請求項３】
前記傾斜板は、前記円環体の平面視において、該円環体の開口部が完全に塞がれるように設けられることを特徴とする請求項１または２に記載の排水管に設けられる通気弁の汚れ防止具。
【請求項４】
前記汚れ防止具に、前記傾斜板の下面が、前記配管の内壁背面部分を向くように、前記分岐管に装着されるための、位置決め部が設けられていることを特徴とする請求項１、２または３に記載の排水管に設けられる通気弁の汚れ防止具。
【請求項５】
排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管と、
前記分岐管内に固定される汚れ防止具とよりなり、
該汚れ防止部は、前記分岐管に装着される、開口部を有する円環体と、
該円環体に固定した、前記開口部を覆うように設けた、前記円環体に対して所望量傾斜した複数の傾斜板とよりなり、
前記各傾斜板は、前記円環体の一端から他端に向かって、それぞれ所望の間隔を開けて設けられ、
前記汚れ防止具は、前記傾斜板の下面が、前記配管部分の内壁背面部分を向くように、前記分岐管に装着されることを特徴とする排水管の管路中に設けられる、通気弁の汚れ防止具を有する配管。
【請求項６】
前記傾斜板の傾斜は、４０度〜５０度であることを特徴とする請求項５に記載の排水管に設けられる、通気弁の汚れ防止具を有する配管。
【請求項７】
前記傾斜板は、前記円環体の平面視において、前記円環体の開口部が完全に塞がれるように設けられることを特徴とする請求項５または６に記載の排水管に設けられる、通気弁の汚れ防止具を有する配管。
【請求項８】
前記汚れ防止具が前記分岐管に位置決めされるための位置決め部が設けられ、
該位置決め部は、前記分岐管に設けた一方の係合部と、前記汚れ防止具に設けた、前記一方の係合部に係合する他方の係合部とよりなることを特徴とする請求項５、６または７に記載の排水管に設けられる、通気弁の汚れ防止具を有する配管。
【考案の詳細な説明】
【技術分野】
【０００１】
本考案は、例えば、台所の流し台等の排水管に設けられる通気弁の汚れを防止するための汚れ防止具、及び、排水管の管路中に設けられる、通気弁の汚れ防止具を有する配管に関するものである。
【背景技術】
【０００２】
従来、台所の流し台等の排水管には、排水管内の負圧を解消し、器具トラップの封水を保護するために、排水管に空気を取り入れる通気弁を設けることがある。
【０００３】
図８は、例えば、台所の流し台に設けられた従来の排水管の模式図を示し、１は、流し台、２は、この流し台１に設けられたトラップ部、３は、前記トラップ部２より下流側の、垂直方向下方に延びる排出部分２ａの下端開口に接続し、３方に分岐した、通気弁接続用の分岐管３ａを上方に延ばすように設けた配管、４は、前記配管３の下端開口に接続した、垂直方向下方向に延びる排水管、５は、前記分岐管３ａの上端開口に装着された通気弁を示す。
【０００４】
前記従来の排水管においては、前記通気弁５から、必要に応じて空気が取り入れられて、前記排水管内の負圧が解消され、トラップ部２の封水を保護する。
【０００５】
通気弁を有する排水管としては、例えば、特許文献１がある。
【先行技術文献】
【特許文献】
【０００６】
【特許文献１】特開２０１６−９００３６
【考案の概要】
【考案が解決しようとする課題】
【０００７】
近年においては、図９に示すように、流し台１の下のスペースを有効に利用するために、流し台１のトラップ部２より下流側の排出部分２ａを、垂直方向下方では無く、水平方向に取り出し、そして、前記流し台１の側部まで延ばしてから、下方に折り曲げて、垂直方向下方に延ばすようにし、そして、この折り曲げた折れ曲がり配管部分６ａの上端に分岐して上方に延びる分岐管６ｂを設けて、該分岐管６ｂの上端開口に通気弁５を設けるように施工することが有る。
【０００８】
なお、前記折れ曲がり配管部分６ａは、例えば、水平方向に延びる水平配管部分６ｃと、垂直下方向に延び、下端において排水管４に接続される垂直配管部分６ｅとにより形成され、そして、前記折れ曲がり配管部分６ａと前記分岐管６ｂとにより構成される配管６は、例えば、Ｔ字状に形成され、前記トラップ部２より下流側の排出部分２ａから水平方向にのばした管路中から取り外し可能に形成される。
【０００９】
このように排出部分２ａを、すぐに下方に延ばさず、一旦、流し台１の側部まで水平に伸ばし、そこから下方に延ばすことにより、流し台１の下にスペースができ、このスペースを有効に利用できるようになる。
【００１０】
しかしながら、水平配管部分６ｃに流れてくる排水が、Ｔ字状に形成された配管６内の内壁背面部分６ｄにぶつかって、上方に跳ね、この跳ね水が通気弁５にあたり、該通気弁５が汚れ、気密性能を損ない臭気漏れや水漏れを起こす不具合があった。
【００１１】
本考案は、上記の不具合を解消するようにしたものである。
【課題を解決するための手段】
【００１２】
本考案の排水管に設けられる通気弁の汚れ防止具は、排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管の該分岐管内に固定される汚れ防止具よりなり、該汚れ防止部は、前記分岐管内に装着される、開口部を有する円環体と、該円環体に固定した、前記開口部を覆うように設けた、前記円環体に対して所望量傾斜した複数の傾斜板とよりなり、前記各傾斜板は、前記円環体の一端から他端に向かって、それぞれ所望の間隔を開けて設けられ、前記汚れ防止具は、前記傾斜板の下面が、前記配管の内壁背面部分を向くように、前記分岐管に装着されることを特徴とする。
【００１３】
また、本考案の排水管に設けられる、通気弁の汚れ防止具を有する配管は、排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管と、前記分岐管内に固定される汚れ防止具とよりなり、該汚れ防止部は、前記分岐管に装着される、開口部を有する円環体と、該円環体に固定した、前記開口部を覆うように設けた、前記円環体に対して所望量傾斜した複数の傾斜板とよりなり、前記各傾斜板は、前記円環体の一端から他端に向かって、それぞれ所望の間隔を開けて設けられ、前記汚れ防止具は、前記傾斜板の下面が、前記配管部分の内壁背面部分を向くように、前記分岐管に装着されることを特徴とする。
【００１４】
また、前記傾斜板の傾斜は、吸気時の空気抵抗を極力減らしつつ、跳ね水を防ぐために４０度〜５０度であることを特徴とする。
【００１５】
また、前記傾斜板は、前記円環体の平面視において、該円環体の開口部が完全に塞がれるように設けられることを特徴とする。
【００１６】
また、前記汚れ防止具に、前記傾斜板の下面が、前記配管の内壁背面部分を向くように、前記分岐管に装着されるための、位置決め部が設けられていることを特徴とする。
【００１７】
また、前記汚れ防止具が前記分岐管に位置決めされるための位置決め部が設けられ、該位置決め部は、前記分岐管に設けた一方の係合部と、前記汚れ防止具に設けた、前記一方の係合部に係合する他方の係合部とよりなることを特徴とする。
【考案の効果】
【００１８】
本考案によれば、跳ね水が前記汚れ防止具により阻止されて、通気弁に付着しないようになり、通気弁が汚れないようになり、臭気漏れや水漏れの故障を防ぎ、寿命を延ばすことができるようになる。
【図面の簡単な説明】
【００１９】
【図１】本考案の通気弁の汚れ防止具を有する配管の縦断側面図である。
【図２】本考案の通気弁の汚れ防止具を有する配管の分解した状態を示す縦断側面図である。
【図３】本考案の通気弁の汚れ防止具を有しない配管の平面図である。
【図４】本考案の通気弁の汚れ防止具の下側からのＣＡＤデータ図に基づく斜視図である。
【図５】本考案の通気弁の汚れ防止具の下側からの斜視図である。
【図６】本考案の通気弁の汚れ防止具の上側からの斜視図である。
【図７】本考案の通気弁の汚れ防止具の縦断側面図である。
【図８】従来の流し台の排水管の模式図である。
【図９】従来の流し台の他の排水管の模式図である。
【考案を実施するための形態】
【００２０】
以下、図面によって本考案の実施例を説明する。
【００２１】
なお、従来と同じ部分には、同じ符号を付け、説明を省略する。
【実施例１】
【００２２】
図１は、通気弁５が装着された前記配管６を示し、本考案については、該配管６の分岐管６ｂ内に装着された前記通気弁５より下の部分に、汚れ防止具7を設け、該汚れ防止具7により、排水の跳ね水が、上方に飛ぶのを阻止し、前記通気弁５に当たらないようにする。
【００２３】
該汚れ汚れ防止具７は、図２〜図７に示すように、例えば、前記分岐管６ｂの内周面に沿って装着される、開口部８ａを有する円形状の円環体８と、該円環体８に固定した、該円環体８の開口部８ａを覆うように設けた、所望量傾斜した複数の矩形板状の傾斜板９と、前記分岐管６ｂに対して、前記汚れ防止具７を所望の位置に位置決めするための位置決め部１０とよりなる。
【００２４】
また、前記各傾斜板９は、例えば、その上端部が前記円環体８に固定されて、斜め下方に延びるように形成され、その傾斜量は、吸気時の空気抵抗を極力減らしつつ、跳ね水を防ぐために、例えば、４０度〜５０度、好ましくは４８度傾斜するように設けられる。
【００２５】
また、前記各傾斜板９は、前記円環体８の一端から他端に向かって、それぞれ所望の間隔を開けて設けられ、該各傾斜板の板面が互いに平行になるように設けられる。
【００２６】
また、１１は、前記傾斜板９の側板を示し、該側板１１は、前記傾斜板９の側端部と前記円環体８との間の隙間を塞ぐよう、例えば、直角三角形状に形成され、前記傾斜板９の側部から跳ね水が入り込まないように形成される。なお、該側板１１は省略してもよい。
【００２７】
また、１２は、隣接する傾斜板９間に形成された、通気用の開口部分を示し、前記円環体８の開口部８ａと前記開口部分１２を通じて、外部から排水管内に空気が取り入れられるようになる。
【００２８】
なお、前記傾斜板９は、前記円環体８の平面視において、該円環体８の開口部８ａが、前記傾斜板９により略完全に塞がれるように設けられるのが好ましい。なお、隣接する傾斜板９，９間が、平面視において、製造上の誤差等により、０．５ｍｍ程度開く場合があるが、性能に問題はない。
【００２９】
また、前記位置決め部１０は、例えば、前記円環体８の外周縁に形成されたコ字状の切り欠き部１３などの一方の係合部よりなり、該切り欠き部１３は、前記分岐管６ｂの内周面に設けられた、前記汚れ防止具７が嵌め込まれる段差部６ｆに設けた凸部１４などの他方の係合部に嵌合して、位置決めされるようになる。
【００３０】
また。前記切り欠き部１３及び前記凸部１４は、該切り欠き部１３と前記凸部１４とが係合して、前記分岐管６ｂに前記汚れ防止具７が装着された時に、前記傾斜板９の下面が、前記配管６の内壁背面部分６ｄ側を向く共に、前記水平配管部分６ａの軸に直交する位置に形成される。
【００３１】
なお、１５は、前記分岐管６ｂの内周面に沿って突状に形成された膨らみ部を示し、該膨らみ部１５と、前記段差部６ｆ間に、前記汚れ防止具７がはまり込んで、該汚れ防止具７が前記分岐管６ｂに固定されるようなる。
【００３２】
なお、１６、１７は、前記垂直配管６ｅに、前記排水管４が接続されるためのパッキン及び、袋ナットを示す。
【００３３】
次に、本考案の汚れ防止具７の作用と効果を説明する。
【００３４】
前記分岐管６ｂから通気弁５が外された状態において、前記分岐管６ｂの段差部６ｆに、前記円環体８を載置し、そして、該分岐管６ｂの上端開口に通気弁５を装着する。
【００３５】
なお、汚れ防止具７は、分岐管６ｂの内壁に設けた膨らみ部１５と段差部６ｆの間に押し込むことで固定する。
【００３６】
そして、流し台１からの排水が、前記配管６の水平配管部分６ｃに流れ、そして、前記配管６の内壁背面部分６ｄにぶつかり、上方に跳ね上がっても、前記汚れ防止具７の傾斜板９にぶつかって、それ以上、上方に跳ね上がらないようになり、跳ね水が、通気弁５に付着しないようになる。
【００３７】
また、前記通気弁５からの外部空気は、前記円環体８の開口部８ａ、前記開口部分１２を通じて、排水管内に入り込み、排水管内の負圧が解消されるようになる。
【００３８】
これにより、前記通気弁５が汚れないようになり、故障を防ぎ、寿命を延ばすことができるようになる。
【符号の説明】
【００３９】
１      流し台
２      トラップ部
２ａ    排出部分
３      配管
３ａ    分岐管
４      排水管
５      通気弁
６      配管
６ａ    折れ曲がり配管部分
６ｂ    分岐管
６ｃ    水平配管部分
６ｄ    内壁背面部分
６ｅ    垂直配管部分
６ｆ    段差部
７      汚れ防止具
８      円環体
８ａ    開口部
９      傾斜板
１０    位置決め部
１１    側板
１２    開口部分
１３    切り欠き部
１４    凸部
１５    膨らみ部
１６    パッキン
１７    袋ナット
【図１】
0003228997.tif 000003
【図２】
0003228997.tif 000004
【図３】
0003228997.tif 000005
【図４】
0003228997.tif 000006
【図５】
0003228997.tif 000007
【図６】
0003228997.tif 000008
【図７】
0003228997.tif 000009
【図８】
0003228997.tif 000010
【図９】
0003228997.tif 000011
【手続補正書】
【提出日】令和2年8月24日(2020.8.24)
【手続補正１】
【補正対象書類名】実用新案登録請求の範囲
【補正対象項目名】全文
【補正方法】変更
【補正の内容】
【実用新案登録請求の範囲】
【請求項１】
排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管の該分岐管内に固定される汚れ防止具よりなり、
該汚れ防止具は、前記分岐管内に装着される、開口部を有する円環体と、
該円環体に固定した、前記開口部を覆うように設けた、前記円環体に対して所望量傾斜した複数の傾斜板とよりなり、
前記各傾斜板は、前記円環体の一端から他端に向かって、それぞれ所望の間隔を開けて設けられ、
前記汚れ防止具は、前記傾斜板の下面が、前記配管の内壁背面部分を向くように、前記分岐管に装着されることを特徴とする排水管に設けられる通気弁の汚れ防止具。
【請求項２】
前記傾斜板の傾斜は、４０度〜５０度であることを特徴とする請求項１に記載の排水管に設けられる通気弁の汚れ防止具。
【請求項３】
前記傾斜板は、前記円環体の平面視において、該円環体の開口部が完全に塞がれるように設けられることを特徴とする請求項１または２に記載の排水管に設けられる通気弁の汚れ防止具。
【請求項４】
前記汚れ防止具に、前記傾斜板の下面が、前記配管の内壁背面部分を向くように、前記分岐管に装着されるための、位置決め部が設けられていることを特徴とする請求項１、２または３に記載の排水管に設けられる通気弁の汚れ防止具。
【請求項５】
排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管と、
前記分岐管内に固定される汚れ防止具とよりなり、
該汚れ防止具は、前記分岐管に装着される、開口部を有する円環体と、
該円環体に固定した、前記開口部を覆うように設けた、前記円環体に対して所望量傾斜した複数の傾斜板とよりなり、
前記各傾斜板は、前記円環体の一端から他端に向かって、それぞれ所望の間隔を開けて設けられ、
前記汚れ防止具は、前記傾斜板の下面が、前記配管部分の内壁背面部分を向くように、前記分岐管に装着されることを特徴とする排水管の管路中に設けられる、通気弁の汚れ防止具を有する配管。
【請求項６】
前記傾斜板の傾斜は、４０度〜５０度であることを特徴とする請求項５に記載の排水管に設けられる、通気弁の汚れ防止具を有する配管。
【請求項７】
前記傾斜板は、前記円環体の平面視において、前記円環体の開口部が完全に塞がれるように設けられることを特徴とする請求項５または６に記載の排水管に設けられる、通気弁の汚れ防止具を有する配管。
【請求項８】
前記汚れ防止具が前記分岐管に位置決めされるための位置決め部が設けられ、
該位置決め部は、前記分岐管に設けた一方の係合部と、前記汚れ防止具に設けた、前記一方の係合部に係合する他方の係合部とよりなることを特徴とする請求項５、６または７に記載の排水管に設けられる、通気弁の汚れ防止具を有する配管。
【手続補正２】
【補正対象書類名】明細書
【補正対象項目名】００１２
【補正方法】変更
【補正の内容】
【００１２】
本考案の排水管に設けられる通気弁の汚れ防止具は、排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管の該分岐管内に固定される汚れ防止具よりなり、該汚れ防止具は、前記分岐管内に装着される、開口部を有する円環体と、該円環体に固定した、前記開口部を覆うように設けた、前記円環体に対して所望量傾斜した複数の傾斜板とよりなり、前記各傾斜板は、前記円環体の一端から他端に向かって、それぞれ所望の間隔を開けて設けられ、前記汚れ防止具は、前記傾斜板の下面が、前記配管の内壁背面部分を向くように、前記分岐管に装着されることを特徴とする。
【手続補正３】
【補正対象書類名】明細書
【補正対象項目名】００１３
【補正方法】変更
【補正の内容】
【００１３】
また、本考案の排水管に設けられる、通気弁の汚れ防止具を有する配管は、排水管の管路中に設けられる、水平配管部分と垂直配管部分とよりなる折れ曲がり配管部分と、該折れ曲がり配管部分の上端に分岐して設けられた、上端開口に通気弁が装着される分岐管とよりなる、Ｔ字状に形成された配管と、前記分岐管内に固定される汚れ防止具とよりなり、該汚れ防止具は、前記分岐管に装着される、開口部を有する円環体と、該円環体に固定した、前記開口部を覆うように設けた、前記円環体に対して所望量傾斜した複数の傾斜板とよりなり、前記各傾斜板は、前記円環体の一端から他端に向かって、それぞれ所望の間隔を開けて設けられ、前記汚れ防止具は、前記傾斜板の下面が、前記配管部分の内壁背面部分を向くように、前記分岐管に装着されることを特徴とする。